(57)【要約】【課題】かかる実情に鑑み、電力量計へのバイパス回路の誤接続を防止できる電力量計用のバイパス工具を提供することを課題とする。【解決手段】本発明は、電力量計５にバイパス回路を接続するためのバイパス端子３であって、該バイパス回路に接触させることで導通接続可能な接続位置と、該バイパス回路から切り離される切離位置とに配置変更可能なバイパス端子３と、該バイパス端子３を内装するケース２とを備え、前記ケース２は、前記切離位置に配置されたバイパス端子３全体を覆う端子カバー部を有する。【選択図】図１０
2019211276.tif 000002
【特許請求の範囲】
【請求項１】
電力量計にバイパス回路を接続するためのバイパス端子であって、該バイパス回路に接触させることで導通接続可能な接続位置と、該バイパス回路から切り離される切離位置とに配置変更可能なバイパス端子と、
該バイパス端子を内装するケースとを備え、
前記ケースは、前記切離位置に配置されたバイパス端子全体を覆う端子カバー部を有する、
電力量計用のバイパス工具。
【請求項２】
前記ケースを前記電力量計に固定するための固定ねじであって、前記電力量計に螺合させる螺合位置と、該螺合位置から退避した退避位置とに配置変更可能である固定ねじを備え、
前記ケースは、前記退避位置に配置された固定ねじ全体を覆う固定ねじカバー部を有する、
請求項１に記載の電力量計用のバイパス工具。
【請求項３】
前記ケースは、電力量計の端子台であって、ケーブルが接続される接続端子が配置された端子用凹部が前面に形成された端子台に対して前方側からあてがうように構成され、
前記端子カバー部は、前記ケースが前記端子台に対して前方側からあてがわれた状態で前記端子用凹部内に挿入されるようにして前記ケースの背面から突出する、
請求項１又は請求項２に記載の電力量計用のバイパス工具。
【請求項４】
前記端子カバー部の横幅は、前記端子用凹部の横幅に合わせて設定される、
請求項３に記載の電力量計用のバイパス工具。
【請求項５】
前記固定ねじカバー部は、前記ケースの背面に設けられ、
前記ケースには、前面から背面に亘って貫設される覗穴が形成され、
該覗穴のケース背面側の開口は、前記固定ねじカバー部に隣接する位置に形成される、
請求項２に記載の電力量計用のバイパス工具。
【請求項６】
前記固定ねじカバー部は、前記ケースの背面から突出するように構成され、
前記固定ねじカバー部には、固定ねじの位置を示す基準表示部であって、前記覗穴との間に形成される基準表示部が形成される、
請求項５に記載の電力量計用のバイパス工具。
【発明の詳細な説明】
【技術分野】
【０００１】
本発明は、電力量計に取り付けて電源側と負荷側とをつなぐバイパス回路を形成する電力量計用のバイパス工具に関する。
【背景技術】
【０００２】
従来、電源と負荷とをつなぐ電路上に設置される電力量計に対して、電源側と負荷側とをつなぐためのバイパス回路を新たに接続するバイパス工具が知られている。
【０００３】
例えば、特許文献１には、電線を接続する電線接続部が複数設けられた端子ブロックを備える電力量計を対象とし、該端子ブロックに取り付けることで電力量計に前記バイパス回路を接続するように構成されたバイパス工具が開示されている。
【０００４】
かかるバイパス工具は、端子ブロックの前面にあてがうケースと、該ケースに設けられたブスバであって、前記バイパス回路を構成するブスバと、を備えており、該ブスバには、ケースの背面側で外部に露出する一対の接続端子部が含まれている。
【０００５】
そのため、前記バイパス工具は、ケースが端子ブロックの前面にあてがわれると、一対の接続端子部が別々の電線接続部に当接（すなわち、導通）し、これにより、バイパス回路が端子ブロックに接続されるようになっている。
【先行技術文献】
【特許文献】
【０００６】
【特許文献１】特開２０１６−８０６８７号公報
【発明の概要】
【発明が解決しようとする課題】
【０００７】
ところで、上記従来のバイパス工具では、電線接続部に当接する接続端子部が常時ケースの外部に露出しているため、ケースを端子台に近付けたときに、接続端子部が使用者の意図しないタイミングで電線接続部に当接してしまい、電力量計に対してバイパス回路が誤って接続されてしまうことがあった。
【０００８】
そこで、本発明は、かかる実情に鑑み、電力量計へのバイパス回路の誤接続を防止できる電力量計用のバイパス工具を提供することを課題とする。
【課題を解決するための手段】
【０００９】
本発明の電力量計用のバイパス工具は、
電力量計にバイパス回路を接続するためのバイパス端子であって、該バイパス回路に接触させることで導通接続可能な接続位置と、該バイパス回路から切り離される切離位置とに配置変更可能なバイパス端子と、
該バイパス端子を内装するケースとを備え、
前記ケースは、前記切離位置に配置されたバイパス端子全体を覆う端子カバー部を有する。
【００１０】
上記構成の電力量計用のバイパス工具によれば、バイパス端子を電力量計に接続しないときは、該バイパス端子を端子カバー部に収容しておくことができるため、電力量計へのバイパス端子の誤接触（誤接続）を防止することができる。
【００１１】
本発明の電力量計用のバイパス工具は、
前記ケースを前記電力量計に固定するための固定ねじであって、前記電力量計に螺合させる螺合位置と、該螺合位置から退避した退避位置とに配置変更可能である固定ねじを備え、
前記ケースは、前記退避位置に配置された固定ねじ全体を覆う固定ねじカバー部を有する、ように構成されていてもよい。
【００１２】
かかる構成によれば、固定ねじを電力量計に螺合させない場合は、該固定ねじ全体を固定ねじカバー部内に配置することができるため、使用者の意図しないタイミングで固定ねじが電力量計に対して接触（導通）してしまうことを防止できる。
【００１３】
また、本発明の電力量計用のバイパス工具は、
前記ケースは、電力量計の端子台であって、ケーブルが接続される接続端子が配置された端子用凹部が前面に形成された端子台に対して前方側からあてがうように構成され、
前記端子カバー部は、前記ケースが前記端子台に対して前方側からあてがわれた状態で前記端子用凹部内に挿入されるようにして前記ケースの背面から突出していてもよい。
【００１４】
かかる構成によれば、ケースを端子台に対して前方側からあてがうと、端子用凹部内に端子カバー部が挿入されるため、端子カバー部内のバイパス端子を外部の構造に接触しないようにしつつ、接続端子の近くまで案内することができる。
【００１５】
この場合、
前記端子カバー部の横幅は、前記端子用凹部の横幅に合わせて設定されていてもよい。
【００１６】
このようにすれば、ケースを端子台に対して前方側からあてがった状態で、ケースの位置が端子台に対して横ずれしてしまうことを防止できる。
【００１７】
本発明の電力量計用のバイパス工具において、
前記固定ねじカバー部は、前記ケースの背面に設けられ、
前記ケースには、前面から背面に亘って貫設される覗穴が形成され、
該覗穴のケース背面側の開口は、前記固定ねじカバー部に隣接する位置に形成されていてもよい。
【００１８】
かかる構成によれば、覗穴を通じて、ケースの後方に位置する端子台と固定ねじカバー部の状態を確認しながらバイパス工具を電力量計の端子台に取り付けることができるようになる。
【００１９】
この場合、
前記固定ねじカバー部は、前記ケースの背面から突出するように構成され、
前記固定ねじカバー部には、固定ねじの位置を示す基準表示部であって、前記覗穴との間に形成される基準表示部が形成されるようにしてもよい。
【００２０】
かかる構成によれば、覗穴を通じて、固定ねじカバー部内の固定ねじの位置も把握することができるため、バイパス工具を電力量計に取り付け易くなる。
【発明の効果】
【００２１】
以上のように、本発明の電力量計用のバイパス工具は、電力量計へのバイパス回路の誤接続を防止できるという優れた効果を奏し得る。
【図面の簡単な説明】
【００２２】
【図１】図１は、本発明の一実施形態に係る電力量計用のバイパス工具の正面図である。
【図２】図２は、同実施形態に係る電力量計用のバイパス工具の背面図である。
【図３】図３は、同実施形態に係る電力量計用のバイパス工具の平面図である。
【図４】図４は、図１のＩＶ−ＩＶ線における断面図である。
【図５】図５は、図１のＶ−Ｖ線における断面図である。
【図６】図６において、（ａ）は第一の姿勢に切り替えた操作部の正面図であり、（ｂ）は第一の姿勢に切り替えた操作部の平面図である。
【図７】図７において、（ａ）は第二の姿勢に切り替えた操作部の正面図であり、（ｂ）は第二の姿勢に切り替えた操作部の平面図である。
【図８】図８において、（ａ）は電力量計の正面図であり、（ｂ）は電力量計の底面図である。
【図９】図９は、同実施形態に係る電力量計用のバイパス工具の使用状態の正面図であって、（ａ）はバイパス回路を端子台に接続する前の状態の正面図であり、（ｂ）はバイパス回路を端子台に接続した後の状態の正面図である。
【図１０】図１０は、同実施形態に係る電力量計用のバイパス工具の使用状態の平面図であって、（ａ）はバイパス回路を端子台に接続する前の状態の平面図であり、（ｂ）はバイパス回路を端子台に接続した後の状態の平面図である。
【図１１】図１１は、本発明の他の実施形態に係る電力量計用のバイパス工具の正面図である。
【図１２】図１２は、本発明の他の実施形態に係る電力量計用のバイパス工具の使用状態の平面図であって、（ａ）はバイパス回路を端子台に接続する前の状態の平面図であり、（ｂ）はバイパス回路を端子台に接続した後の状態の平面図である。
【発明を実施するための形態】
【００２３】
以下、本発明の一実施形態に係る電力量計用のバイパス工具（以下、バイパス工具と称する）について添付図面を参照しつつ説明を行う。
【００２４】
電力量計５は、図８（ａ）、及び図８（ｂ）に示すように、計量部５０と、端子台５１と、を備えており、該端子台５１は、横並びに配置された複数の接続端子５１０を備えている。
【００２５】
端子台５１は、電源側につながるケーブルと、負荷側につながるケーブルと、が接続されるように構成されており、電源側のケーブルと負荷側のケーブルとは計量部５０を通じて電気的に接続されるようになっている。なお、端子台５１は、底面の差込孔５１０ａを通じてケーブルを内部に差し込めるように構成されている（図８（ｂ）参照）。なお、端子台５１の前面には、凹状の端子用凹部５１０ａが形成されており、接続端子５１０は、この端子用凹部５１０ａ内に配置されている。
【００２６】
本実施形態に係るバイパス工具は、上記構成の電力量計５に使用するものであり、端子部に対して、計量部５０を通さずに（迂回して）電源側のケーブルと負荷側のケーブルとを電気的に接続するバイパス回路を接続するように構成されている。
【００２７】
本実施形態に係るバイパス工具は、図１に示すように、バイパス回路が内装されるケース２と、該ケース２内に設けられるバイパス端子３であって、バイパス回路を電力量計５（本実施形態では、端子台５１）に接続するためのバイパス端子３（図２参照）と、該バイパス端子３に設けられる操作部４であって、バイパス端子３を端子台５１に導通接続した接続状態と、バイパス端子３を端子台５１から切り離した切離状態とに切り替えるための操作部４と、を備えている。
【００２８】
なお、本実施形態では、ケース２の前面と背面とが並ぶ方向を前後方向、ケース２の上下に対応する方向を上下方向、前後方向と上下方向とに直交する方向（すなわち、ケース２の横幅に対応する方向）を横方向、と称して以下の説明を行うこととする。
【００２９】
また、本実施形態に係るバイパス工具１には２つのバイパス回路が設けられており、一方のバイパス回路には２つのバイパス端子３が接続され、この２つのバイパス端子３には共通の１つの操作部４が設けられている。他方のバイパス回路にも、２つのバイパス端子３が接続されているが、この２つのバイパス端子３のそれぞれには、別々の操作部４が設けられている（図１、図２参照）。
【００３０】
各バイパス端子３は、前記横方向で間隔をあけて並ぶように配置されており、さらに、ケース２を端子台５１の前面にあてがった状態で、接続端子５１０の前方に配置されるようになっている（図２参照）。
【００３１】
ケース２は、図４に示すように、端子台５１の前面にあてがわれる背面２００、及び該背面２００とは反対側の前面２０１を有するケース本体２０と、バイパス端子３をケース本体２０に対して前後方向でスライドさせるためのスライド構造２１と、バイパス端子３を前記前後方向における後方側に付勢するための付勢部材２２と、バイパス端子３を前記前後方向で位置決め可能な端子用位置決部２３と、ケース本体２０を端子台５１に固定するための固定構造２４（図２参照）と、を備えている。
【００３２】
ケース本体２０は、箱状に形成されており、内部にはバイパス端子３が配置されている。なお、ケース本体２０内には、バイパス回路を構成するための基板や電子部品も配置されている。
【００３３】
また、ケース本体２０には、図１、及び図５に示すように、前後方向で貫通する覗穴２０２が形成されている。覗穴２０２は、前後方向に沿って真っすぐに形成されており、横方向における形成位置が、後述する固定用挿通部２４１の位置と一致している。そのため、覗穴２０２の後方側の開口（ケース本体２０の背面２００側の開口）は、後述する固定用挿通部２４１の上側に隣接する位置に形成されている。
【００３４】
図４に示すように、スライド構造２１は、操作部４を前記前後方向でスライド可能となるように挿通する操作部用挿通部２１０であって、ケース本体２０の前面２０１で開口する筒状の操作部用挿通部２１０と、バイパス端子３を前記前後方向でスライド可能となるように挿通する端子用挿通部２１１であって、ケース本体２０の背面２００に設けられる端子用挿通部２１１とを有する。
【００３５】
操作部用挿通部２１０は、筒状であり、且つケース本体２０の前面２０１の内側（ケース本体２０内に位置する一面側）から前記前後方向における後方側に向かって延出している。
【００３６】
また、操作部用挿通部２１０では、先端側の内径が基端側の内径よりも大きくなっている。そのため、操作部用挿通部２１０の先端側の内周面と基端側の内周面との境目には、操作部用挿通部２１０の基端側の内周面に対応する位置から径方向外方（操作部用挿通部２１０の径方向外方）に広がる内平面２１２が形成されている。
【００３７】
なお、本実施形態では、２つの操作部用挿通部２１０が前記横方向で間隔をあけて並んでいる。
【００３８】
端子用挿通部２１１は、筒状であり、且つケース本体２０の背面２００の外側（ケース本体２０外に位置する一面側）から前記前後方向における後方側に向かって延出している。また、端子用挿通部２１１は、基端側の開口がケース本体２０の内部に向けて開放している。端子用挿通部２１１は、バイパス端子３（後述する端子本体部３０）を覆う端子カバー部でもある。
【００３９】
本実施形態では、上述のように、２つのバイパス端子３がケース２の横方向で間隔をあけて並ぶように配置されるため、ケース本体２０の背面２００には、各バイパス端子３の配置位置に合わせて２つの端子用挿通部２１１が前記横方向で間隔をあけて並ぶように形成されている。なお、付勢部材２２は、板ばね等で構成されていてもよい。
【００４０】
また、端子用挿通部２１１は、操作部用挿通部２１０に対して上方側にずれた位置に設けられている。
【００４１】
付勢部材２２は、圧縮コイルバネである。また、付勢部材２２は、端子用挿通部２１１の先端側に挿入されており、伸縮方向における一端が内平面２１２に当接するように配置されている。なお、付勢部材２２は、バイパス端子３が、後述する進出位置に配置した状態で、伸縮方向における全長が知全長未満となるように構成されることが好ましい。このようにすれば、バイパス端子３に対して前後方向における後方側に働く付勢力を常にかけておくことができる。
【００４２】
端子用位置決部２３は、図６（ｂ）、図７（ｂ）に示すように、バイパス端子３を前記前後方向における後方側にスライドさせた進出位置に位置決めする進出用位置決部２３０と、バイパス端子３を前記前後方向における前方側にスライドさせた後退位置に位置決めする後退用位置決部２３１と、を有する。
【００４３】
なお、進出位置とは、端子台５１の前面２０１にケース２（ケース本体２０の背面２００）をあてがっている状態でバイパス端子３が端子台５１の接続端子５１０に接触（導通）する位置のことである。また、後退位置とは、端子台５１の前面２０１にケース２（ケース本体２０の背面２００）をあてがっている状態でバイパス端子３が端子台５１の接続端子５１０に対して非接触となる位置のことである。
【００４４】
進出用位置決部２３０は、図６（ｂ）に示すように、前記前後方向における後方側で操作部４を受ける進出用受部２３０ａと、該進出用受部２３０ａ上に操作部４を留めるための進出用ずれ止部２３０ｂと、を有する。
【００４５】
後退用位置決部２３１は、図７（ｂ）に示すように、前記前後方向における後方側で操作部４を受ける後退用受部２３１ａと、後退用受部２３１ａ上に操作部４を留めるための後退用ずれ止部２３１ｂと、を有する。
【００４６】
ここで、本実施形態に係る端子用位置決部２３（進出用位置決部２３０、後退用位置決部２３１）は、操作部４を介してバイパス端子３を位置決めするように構成されている。
【００４７】
より具体的に説明すると、端子用位置決部２３は、ケース本体２０の前面２０１から前方に向かって延出する筒状部２３２によって構成されている。
【００４８】
筒状部２３２には、先端面から前記前後方向における基端側に向かって凹む凹部２３２ａが形成されている。また、筒状部２３２には、周方向（自身の周方向）で間隔をあけて複数（本実施形態では２つ）の凹部２３２ａが形成されている。
【００４９】
進出用受部２３０ａでは、図６（ｂ）に示すように、凹部２３２ａ底面２３２ｂにより進出用受部２３０ａが構成され、凹部２３２ａの側面２３２ｃにより進出用ずれ止部２３０ｂが構成されている。
【００５０】
そして、後退用受部２３１ａでは、図７（ｂ）に示すように、筒状部２３２の先端面２３２ｄ（筒状部２３２の周方向で隣り合う凹部２３２ａと凹部２３２ａの間の先端面２３２ｄ）により後退用受部２３１ａが構成されており、該先端面２３２ｄの両側端部から手前側（前記前後方向における前方側）に膨出する膨出部２３２ｅにより後退用ずれ止部２３１ｂが構成されている。
【００５１】
固定構造２４は、図５に示すように、前記前後方向に沿ってケース本体２０の前面２０１から背面２００まで連続する挿通領域を形成する前側挿通部２４０と、該前側挿通部に対して前記前後方向における後方側で並ぶ位置に設けられる固定用挿通部２４１と、固定用挿通部２４１に対して前記前後方向における前方側から挿通される固定ねじ２４２と、固定用挿通部２４１内の固定ねじ２４２をケース本体２０の前面２０１側に付勢する押戻手段２４３と、を備えている。
【００５２】
前側挿通部２４０の挿通領域は、ケース本体２０の前面２０１、及びケース本体２０の背面２００で開放するように形成されている。
【００５３】
本実施形態に係る前側挿通部２４０は、固定ねじ２４２を配置する第一の配置部２４１ａと、押戻手段２４３を配置する第二の配置部２４１ｂと、を有する。第二の配置部２４１ｂは、第一の配置部の後方側に連設されており、さらに、第二の配置部２４１ｂは、第一の配置部よりも内径が小さくなっている。
【００５４】
固定用挿通部２４１は、筒状であり且つケース本体２０の背面２００から前記前後方向における後方側に向かって延出している。また、固定用挿通部２４１は、横方向において端子用挿通部２１１よりも内側に設けられている。なお、固定用挿通部２４１は、固定ねじ２４２を収容可能な固定ねじカバー部でもある。
【００５５】
固定用挿通部２４１には、内部に挿通される固定ねじ２４２の位置（固定ねじ２４２の軸線）を表示する基準表示部２４１ａが形成されている。
【００５６】
固定用挿通部２４１の上面は、先細り、より具体的には、横方向における外側から中央部側になるにつれて上方に向かうように形成されている。そのため、本実施形態の固定用挿通部２４１では、上面に対して前後方向に沿って真っすぐに延びるように形成された頂部が基準表示部２４１ａとなっている。
【００５７】
また、各固定用挿通部２４１、各端子用挿通部２１１は、ケース２が端子台５１の前面２０１にあてがわれている状態において別々の接続端子５１０の前方に配置されるように形成されている。
【００５８】
固定ねじ２４２は、固定用挿通部２４１に対して前記前後方向でスライド可能となるように挿通されている。また、固定ねじ２４２は、固定用挿通部２４１内でのスライドにより、雄ねじ部の先端部を固定用挿通部２４１から前記前後方向における後方側に露出（進出）させた露出状態と、雄ねじ部の先端部全体を固定用挿通部２４１内に収容した収容状態（すなわち、雄ねじ部の先端が固定用挿通部２４１の先端よりも前後方向のける前方側に位置する状態）とに切替可能である。
【００５９】
固定ねじ２４２が露出状態に切り替えられると、雄ねじ部を電力量計５（端子台５１）におけるバイパス工具の取付箇所（例えば、接続端子５１０に形成されているねじ孔）に螺合させることができる状態になる。一方、固定ねじ２４２が収容状態に切り替えられると、雄ねじ部を前記取付箇所に螺合させることができない状態になる。
【００６０】
押戻手段２４３は、圧縮コイルバネで構成されており、前記前後方向で伸縮するようにして前側挿通部２４０内に配置されており、前側挿通部２４０内で前記前後方向における後方側にスライドさせた固定ねじ２４２を手前側に押し返すように構成されている。
【００６１】
バイパス端子３は、図４に示すように、軸状の端子本体部３０と、端子本体部３０と操作部４とを連結する連結構造３１と、端子本体部３０をバイパス回路の電路に接続するための導通接続部３２と、を備えている。
【００６２】
端子本体部３０は、軸心方向を前記前後方向に一致又は略一致させた状態で配置されており、端子用挿通部２１１に挿通されている。
【００６３】
また、端子本体部３０は、バイパス端子３を進出位置又は退避位置への配置変更に伴い、端子用挿通部２１１内で前記前後方向にスライドするように構成されている。そして、端子台５１の前面２０１にケース２をあてがった状態でバイパス端子３が進出位置に配置されると、端子本体部３０の先端部は、端子挿通部から外部に進出して（すなわち、端子挿通部よりも前記前後方向における後方側に進出して）接続端子５１０に接触する。一方、端子台５１の前面２０１にケース２をあてがった状態でバイパス端子３が退避位置に配置されると、端子本体部３０の先端部は、端子挿通部内に完全に退避して接続端子５１０から離れる。このようにして、バイパス端子３が接続端子５１０に導通接続された状態と、バイパス端子３が接続端子５１０から切り離された状態とが切り替わるようになっている。
【００６４】
連結構造３１は、端子本体部３０が取り付けられる連結板部３１０と、該連結板部３１０と操作部４とを連結する連結軸部３１１と、を有する。
【００６５】
連結板部３１０には、端子本体部３０の軸心方向における一端（以下、基端と称する）が取り付けられている。また、連結板部３１０は、細長い形状（本実施形態では、長方形状）であり、長手方向における一端部にバイパス端子３が取り付けられ、長手方向における中央部に連結軸部３１１が取り付けられている。
【００６６】
連結軸部３１１は、軸心方向が前記前後方向に一致又は略一致する姿勢で、操作部用挿通部２１０の先端側から該操作部用挿通部２１０内に挿通されている。
【００６７】
また、本実施形態では、連結軸部３１１が操作部用挿通部２１０内の付勢部材２２の内側にも挿通された状態になっており、連結板部３１０が付勢部材２２の伸縮方向における他端（以下、先端と称する）を受けるように構成されている。
【００６８】
さらに、連結軸部３１１の軸心は、端子本体部３０の軸心から離れた場所（端子本体部３０の径方向で離れた場所）に位置している。そのため、端子本体部３０は、連結軸部３１１の軸心を中心とする周方向で回転可能であり、端子用挿通部２１１との間のスペースにより許容される範囲内で、横方向に動くことができるように構成されている。
【００６９】
導通接続部３２は、連結構造３１の一部に対して一体に形成されている。本実施形態では、連結板部３１０の長手方向における他端部により導通接続部３２が構成されている。そして、本実施形態では、各バイパス端子３の導通接続部３２同士が電気的に接続されることで、一つのバイパス回路が構成されている。
【００７０】
操作部４は、ケース本体２０の前面２０１よりも手前側に配置される操作部本体４０と、該操作部本体４０から延出し且つ操作部４用ガイド部に対して前記前後方向でスライド可能となるように挿入される被ガイド部４１と、を有する。
【００７１】
操作部本体４０は、細長い形状（本実施形態では長方形状）であり、長手方向における寸法が端子用位置決部２３（筒状部２３２）の外径よりも大きくなっている。本実施形態に係る操作部本体４０では、図６（ａ）、及び図７（ａ）に示すように、長手方向における両側が端子用位置決部２３（進出用受部２３０ａ、若しくは後退用受部２３１ａ）に対して前方側から掛止する掛止部４００となっている。
【００７２】
被ガイド部４１は、この操作部本体４０の長手方向における中央部側から延出している。そのため、各掛止部４００は、被ガイド部４１を中心とする周方向に沿って回動可能となっている。
【００７３】
本実施形態に係るバイパス工具の構成は以上の通りである。続いて、本実施形態に係るバイパス工具の使い方を説明する。
【００７４】
バイパス工具を用いてバイパス回路を端子台５１に接続するにあたり、操作部本体４０を第二の姿勢に切り替えておき（図９（ａ）参照）、各バイパス端子３を後退位置に配置しておく。このとき、端子本体部３０の先端は、端子用挿通部２１１内に配置されている（完全に収容されている）。また、操作部本体４０は、掛止部４００が後退用受部２３１ａに対して前方側から掛止されている。
【００７５】
掛止部４００は、被ガイド部４１を中心とする周方向に沿って回動しようとすると後退用ずれ止部２３１ｂが干渉する。そのため、掛止部４００は、後退用ずれ止部２３１ｂによって後退用受部２３１ａ上に留められている。
【００７６】
バイパス工具を端子台５１に取り付けるには、まず、ケース２（ケース本体２０の背面２００）を端子台５１の前面２０１にあてがう。ケース本体２０の背面２００を端子台５１の前面２０１にあてがった状態においては、各端子本体部３０と各固定用挿通部２４１とが別々の接続端子５１０の前方に配置され、さらに、固定用挿通部２４１は、前記設置個所（本実施形態では、接続端子５１０に形成されているねじ孔）の前方に配置される。
【００７７】
また、端子用収容部が端子台５１の端子用凹部５１０ａ内に挿入されるが、端子用収容部と端子用凹部５１０ａとの間には隙間がほとんど生じないようになっている。そして、覗穴２０２を通じてケース２の手前側から、ケース２の後方側の様子を見ながら、固定用挿通部２４１の基準表示部２４１ａを目安にして固定ねじ２４２と該固定ねじ２４２の設置個所との位置関係を目視で確認し、固定ねじ２４２を前記設置個所、すなわち、接続端子５１０のねじ孔に螺合させる。
【００７８】
そして、操作部本体４０を第一の姿勢に切り替え（図９（ｂ）参照）、各バイパス端子３を後退位置から進出位置に移動させることで、バイパス回路が端子台５１に接続される。
【００７９】
より具体的に説明すると、操作部本体４０を後退用ずれ止部２３１ｂよりも手前側に引き出した後、該操作部本体４０を回転させて各掛止部４００を後退用受部２３１ａの前方から進出用受部２３０ａの前方に移動させる。そして、各掛止部４００を進出用受部２３０ａに配置し、付勢手段の付勢力に任せて各掛止部４００を進出用受部２３０ａに掛止する。
【００８０】
なお、掛止部４００は、進出用受部２３０ａに掛止されている状態で被ガイド部４１を中心とする周方向に沿って回動しようとすると、進出用ずれ止部２３０ｂが干渉する。そのため、掛止部４００は、被ガイド部４１を中心とする周方向での回動が規制された状態になる。
【００８１】
また、掛止部４００を後退用受部２３１ａから進出用受部２３０ａに掛け替えるに伴い、端子本体部３０が前記前後方向における前方側にスライドする。そのため、端子本体部３０の先端部が端子用挿通部２１１から外側に進出し、該端子本体部３０の先端部（先端面２３２ｄ）が接続用端子の前面２０１に当接する（図１０（ｂ）参照）。
【００８２】
端子本体部３０は、このようにして接続用端子に導通接続される。そして、各バイパス端子３の端子本体部３０を接続用端子に導通接続することにより、バイパス回路を端子台５１に接続することができる。
【００８３】
端子台５１からバイパス回路を切り離す場合は、各バイパス端子３を進出位置から後退位置に移動させる。
【００８４】
より具体的に説明すると、操作部本体４０を進出用ずれ止部２３０ｂ及び後退用ずれ止部２３１ｂよりも手前側に引き出した後、該操作部本体４０を回転させて各掛止部４００を進出用受部２３０ａの前方から後退用受部２３１ａの前方に移動させる。そして、各掛止部４００を後退用受部２３１ａに配置し、付勢手段の付勢力に任せて各掛止部４００を後退用受部２３１ａに掛止する。
【００８５】
掛止部４００を進出用受部２３０ａから後退用受部２３１ａに掛け替えるに伴い、端子本体部３０が前記前後方向における後方側にスライドする。そのため、端子本体部３０の先端部全体が端子用挿通部２１１内に移動し、該端子本体部３０の先端部（先端面２３２ｄ）が接続用端子の前面２０１から離れる（図１０（ａ）参照）。
【００８６】
接続端子５１０に導通接続されている端子本体部３０は、このようにして接続用端子から切り離される。そして、各バイパス端子３の端子本体部３０を接続用端子から切り離すことで、バイパス回路を端子台５１から切り離すことができる。
【００８７】
以上のように、本実施形態に係るバイパス工具１によれば、バイパス端子３を電力量計５に接続しないときは、該バイパス端子３を端子用挿通部２１１に収容しておくことができるため、電力量計５へのバイパス端子３の誤接触（誤接続）を防止することができる。従って、バイパス工具１は、電力量計５へのバイパス回路の誤接続を防止できるという優れた効果を奏し得る。
【００８８】
また、ケース２には、固定ねじ２４２全体を覆う固定用挿通部２４１が形成されているため、固定ねじ２４２を固定用挿通部２４１内に配置しておけば、使用者の意図しないタイミングで固定ねじ２４２が電力量計５に対して接触（導通）してしまうことを防止することもできる。
【００８９】
さらに、端子用挿通部２１１は、ケース２を端子台５１に対して前方側からあてがったときに端子用凹部５１０ａ内に挿入されるように構成されているため、ケース２を端子台５１に対して前方側からあてがうと、端子用凹部５１０ａ内に端子用挿通部２１１が挿入されるため、端子用挿通部２１１部内のバイパス端子３を外部の構造に接触しないようにしつつ、接続端子５１０の近くまで案内することができる。
【００９０】
また、端子用挿通部２１１の横幅が端子用凹部５１０ａの横幅に合わせて設定されているため、ケース２を端子台５１に対して前方側からあてがった状態においては、ケース２の位置が端子台５１に対して横ずれしてしまうことを防止することもできる。
【００９１】
本実施形態に係るバイパス工具１では、ケース２に対して前面２０１から背面２００に亘って貫設される覗穴２０２が形成されており、また、覗穴２０２のケース２の背面２００側の開口が固定用挿通部２４１に隣接する位置に形成されていているため、覗穴２０２を通じて、ケース２の後方に位置する端子台５１と固定ねじ２４２カバー部の状態を確認しながらバイパス工具１を電力量計５の端子台５１に取り付けることができるようになる。
【００９２】
また、固定用挿通部２４１には、固定ねじ２４２の位置を示す基準表示部２４１ａであって、前記覗穴２０２との間に形成される基準表示部が形成されているため、覗穴２０２を通じて、固定用挿通部２４１内の固定ねじ２４２の位置も容易に把握することができる。
【００９３】
なお、本発明のバイパス工具は、上記実施形態に限定されるものではなく、本発明の要旨を逸脱しない範囲内において種々の変更を加え得ることは勿論である。
【００９４】
上記実施形態において、バイパス工具１には２つのバイパス回路が設けられていたが、この構成に限定されない。例えば、バイパス工具１には、図１１，１２に示すように１つのバイパス回路が設けられていてもよいし、３つ以上のバイパス回路が設けられていてもよい。
【００９５】
上記実施形態では、固定用挿通部２４１の上面に頂部を形成することで基準表示部２４１ａが構成されていたが、この構成に限定されない。例えば、基準表示部２４１ａは、固定用挿通部２４１の上面に着色したり、ラベルを貼り付けたりすることで構成されていてもよい。
【００９６】
上記実施形態において、覗穴２０２の後方側の開口は、固定用挿通部２４１の上方側に隣接していたが、この構成に限定されない。例えば、覗穴２０２の後方側の開口は、固定用挿通部２４１の上方側に隣接していてもよい。なお、基準表示部２４１ａは、覗穴２０２の後方側の開口との間に形成されるよう、適宜位置を変更すればよい。
【符号の説明】
【００９７】
１…バイパス工具、２…ケース、３…バイパス端子、４…操作部、５…電力量計、２０…ケース本体、２１…スライド構造、２２…付勢部材、２３…端子用位置決部、２４…固定構造、３０…端子本体部、３１…連結構造、３２…導通接続部、４０…操作部本体、４１…被ガイド部、５０…計量部、５１…端子台、２００…背面、２０１…前面、２０２…覗穴、２１０…操作部用挿通部、２１１…端子用挿通部、２１２…内平面、２３０…進出用位置決部、２３０ａ…進出用受部、２３０ｂ…進出用ずれ止部、２３１…後退用位置決部、２３１ａ…後退用受部、２３１ｂ…後退用ずれ止部、２３２…筒状部、２３２ａ…凹部、２３２ｄ…先端面、２４０…前側挿通部、２４１…固定用挿通部、２４１ａ…基準表示部、２４１ｂ…第二の配置部、２４３…押戻手段、３１０…連結板部、３１１…連結軸部、４００…掛止部、５１０…接続端子、５１０ａ…端子用凹部
【図１】
2019211276.tif 000003
【図２】
2019211276.tif 000004
【図３】
2019211276.tif 000005
【図４】
2019211276.tif 000006
【図５】
2019211276.tif 000007
【図６】
2019211276.tif 000008
【図７】
2019211276.tif 000009
【図８】
2019211276.tif 000010
【図９】
2019211276.tif 000011
【図１０】
2019211276.tif 000012
【図１１】
2019211276.tif 000013
【図１２】
2019211276.tif 000014
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
電力量計が備える端子台の前面に対向配置される背面を有するケースと、
前記端子台にバイパス回路を接続するためのバイパス端子であって、該ケース内に配置され、該ケースの前記背面と前面とが並ぶ前後方向で移動可能であり、且つ該前後方向での移動により前記端子台の接続端子に接触することで該接続端子に導通接続する接続状態となる位置と、前記端子台の接続端子から離間することで該接続端子から切り離される切離状態となる位置とに配置変更可能なバイパス端子と、
該バイパス端子を前記前面から前記背面に向かう方向に向けて付勢する付勢手段と、
前記ケースの前面側に設けられ、且つ前記ケースの前記背面から前記前面に向かう方向に向けて前記バイパス端子を引き操作可能な操作部と、を備え、
前記ケースは、
前記切離状態となる位置に配置されたバイパス端子全体を覆う端子カバー部と、
前記前面に形成され且つ前記バイパス端子を引き操作して前記切離状態となる位置に配置させている状態の前記操作部を前記前面の前方で掛止可能であり、且つ前記操作部の掛止を解除することで前記バイパス端子の前記切離状態となる位置から前記接続状態となる位置への配置変更を許容する後退用受部とを有する、
電力量計用のバイパス工具。
【請求項２】
前記ケースを前記電力量計に固定するための固定ねじであって、前記電力量計に螺合させる螺合位置と、該螺合位置から退避した退避位置とに配置変更可能である固定ねじを備え、
前記ケースは、前記退避位置に配置された固定ねじ全体を覆う固定ねじカバー部を有する、
請求項１に記載の電力量計用のバイパス工具。
【請求項３】
前記ケースは、前記背面を、電力量計の端子台であって、ケーブルが接続される接続端子が配置された端子用凹部が形成された端子台の前記前面にあてがうように構成され、
前記端子カバー部は、前記ケースが前記端子台の前記前面にあてがわれた状態で前記端子用凹部内に挿入されるようにして前記ケースの前記背面から突出する、
請求項１又は請求項２に記載の電力量計用のバイパス工具。
【請求項４】
前記端子カバー部の横幅は、前記端子用凹部の横幅に合わせて設定される、
請求項３に記載の電力量計用のバイパス工具。
【請求項５】
前記固定ねじカバー部は、前記ケースの前記背面に設けられ、
前記ケースには、前記前面から前記背面に亘って貫設される覗穴が形成され、
該覗穴の前記ケースの前記背面側の開口は、前記固定ねじカバー部に隣接する位置に形成される、
請求項２に記載の電力量計用のバイパス工具。
【請求項６】
前記固定ねじカバー部は、前記ケースの前記背面から突出するように構成され、
前記固定ねじカバー部には、前記固定ねじの位置を示す基準表示部であって、前記覗穴との間に形成される基準表示部が形成される、
請求項５に記載の電力量計用のバイパス工具。
【手続補正２】
【補正対象書類名】明細書
【補正対象項目名】０００９
【補正方法】変更
【補正の内容】
【０００９】
本発明の電力量計用のバイパス工具は、
電力量計が備える端子台の前面に対向配置される背面を有するケースと、
前記端子台にバイパス回路を接続するためのバイパス端子であって、該ケース内に配置され、該ケースの前記背面と前面とが並ぶ前後方向で移動可能であり、且つ該前後方向での移動により前記端子台の接続端子に接触することで該接続端子に導通接続する接続状態となる位置と、前記端子台の接続端子から離間することで該接続端子から切り離される切離状態となる位置とに配置変更可能なバイパス端子と、
該バイパス端子を前記前面から前記背面に向かう方向に向けて付勢する付勢手段と、
前記ケースの前面側に設けられ、且つ前記ケースの前記背面から前記前面に向かう方向に向けて前記バイパス端子を引き操作可能な操作部と、を備え、
前記ケースは、
前記切離状態となる位置に配置されたバイパス端子全体を覆う端子カバー部と、
前記前面に形成され且つ前記バイパス端子を引き操作して前記切離状態となる位置に配置させている状態の前記操作部を前記前面の前方で掛止可能であり、且つ前記操作部の掛止を解除することで前記バイパス端子の前記切離状態となる位置から前記接続状態となる位置への配置変更を許容する後退用受部とを有する。
【手続補正３】
【補正対象書類名】明細書
【補正対象項目名】００１３
【補正方法】変更
【補正の内容】
【００１３】
また、本発明の電力量計用のバイパス工具は、
前記ケースは、前記背面を、電力量計の端子台であって、ケーブルが接続される接続端子が配置された端子用凹部が形成された端子台の前記前面にあてがうように構成され、
前記端子カバー部は、前記ケースが前記端子台の前記前面にあてがわれた状態で前記端子用凹部内に挿入されるようにして前記ケースの前記背面から突出していてもよい。
【手続補正４】
【補正対象書類名】明細書
【補正対象項目名】００１７
【補正方法】変更
【補正の内容】
【００１７】
本発明の電力量計用のバイパス工具において、
前記固定ねじカバー部は、前記ケースの前記背面に設けられ、
前記ケースには、前記前面から前記背面に亘って貫設される覗穴が形成され、
該覗穴の前記ケースの前記背面側の開口は、前記固定ねじカバー部に隣接する位置に形成されていてもよい。
【手続補正５】
【補正対象書類名】明細書
【補正対象項目名】００１９
【補正方法】変更
【補正の内容】
【００１９】
この場合、
前記固定ねじカバー部は、前記ケースの前記背面から突出するように構成され、
前記固定ねじカバー部には、前記固定ねじの位置を示す基準表示部であって、前記覗穴との間に形成される基準表示部が形成されるようにしてもよい。